(57)【特許請求の範囲】
【請求項１】
被検眼眼底を照明するための照明系と、
前記被検眼眼底を撮影するための撮影系と、
被検眼の視線誘導用の固視標を前記被検眼に向けて投影する固視標投影系と、
前記被検眼に対する位置合わせのためのアライメント指標を前記被検眼に投影するアライメント指標投影系と、
前記被検眼眼底像をアライメント指標像及びアライメント基準位置マークと共に表示するモニタを含む観察系と、
前記被検眼眼底の中央部と前記被検眼眼底の周辺部を撮影するときとで前記固視標の提示位置を変更する固視標位置変更手段と、
該固視標位置変更手段に対応して、前記撮影光学系の光軸方向及び撮影光学系の光軸と直交する方向にアライメント指標の提示位置を変更するアライメント指標提示位置変更手段とを備えたことを特徴とする眼底カメラ。
【請求項２】
前記アライメント指標提示位置変更手段は、光路補正光学部材を含み、
前記光路補正光学部材は、前記固視標の提示位置の変更に対応して、前記アライメント指標投影系の光路長を補正することを特徴とする請求項１に記載の眼底カメラ。
【請求項３】
前記アライメント指標提示位置変更手段は、眼底周辺部を撮影する場合に前記アライメント指標投影系の光路中に挿入され、前記撮影光学系の光軸回りに回転可能なプリズムを備えたことを特徴とする請求項１又は請求項２に記載の眼底カメラ。
【発明の詳細な説明】
【技術分野】
【０００１】
本発明は、眼底の撮影診断に使用する眼底カメラに関する。
【背景技術】
【０００２】
従来、眼底カメラでは、被検眼の眼底に照明光を照射し、観察・撮影光学系の対物レンズを通じて眼底を観察し、かつ撮影するようにしている（例えば、特許文献１参照）。
【特許文献１】特開平７−３１５９０号公報
【発明の開示】
【発明が解決しようとする課題】
【０００３】
ところで、従来の眼底カメラでは、眼底中心部（いわゆる後極部）のほか、眼底周辺部を撮影することがある。すなわち、眼底周辺部を撮影するときには、撮影系の光軸に沿った方向から固視標を被検眼に向けて投影し、被検眼の視線を撮影系の光軸と一致させた上で撮影を行う。一方、眼底周辺部を撮影するときには、撮影系の光軸とは異なる方向から固視標を投影し、被検眼の視線を撮影系の光軸と異なる方向に向けさせて撮影を行う。
【０００４】
しかしながら、このような従来の眼底カメラでは、固視標の投影位置の変化に伴い、テレビカメラ上におけるアライメント指標像の結像位置が変化するため、アライメント調整が行い難いという問題があった。
【０００５】
すなわち、眼底中央部を撮影する場合には、図５（a）に示すように、固視標の作用により角膜頂点Cfが撮影光軸Ｏ1と一致している。このため、撮影光軸Ｏ1上に存在するアライメント指標58aにより被検眼Ｅに投影されるアライメント指標形成光束は、アライメントが完了した状態において撮影光軸Ｏ1に沿って反射され、撮影光軸Ｏ1上の眼底共役面Ｒの位置にアライメント指標像58a’を形成する。
【０００６】
一方、眼底周辺部を投影する場合には、図５（b）に示すように、固視標の作用により角膜頂点Cfは撮影光軸Ｏ1とはずれた位置にある。このため、撮影光軸Ｏ1上に存在するアライメント指標58aにより被検眼Ｅに投影されるアライメント指標光束はアライメント完了した状態において撮影光軸Ｏ1とは異なる方向に反射され、この結果、アライメント指標像58a’は撮影光軸Ｏ1からずれた位置に結像する。
【０００７】
このように、従来の眼底カメラでは撮像部位の変化によりアライメント指標58aの結像位置が変化するので、検者は、どの部位を撮影する場合に、どの位置にアライメント指標像58a’を移動させればよいか記憶しておかねばならず、操作に不慣れな者にとっては扱いにくいものであった。
【０００８】
本発明は、上記の事情に鑑みて為されたもので、その目的とするところは、眼底周辺部を撮影する際に、眼底周辺部を撮影する際に、アライメント調整を容易に行うようにした眼底カメラを提供することにある。
【課題を解決するための手段】
【０００９】
上記目的を達成する請求項１に記載の発明は、被検眼眼底を照明するための照明系と、前記被検眼眼底を撮影するための撮影系と、被検眼の視線誘導用の固視標を前記被検眼に向けて投影する固視標投影系と、前記被検眼に対する位置合わせのためのアライメント指標を前記被検眼に投影するアライメント指標投影系と、前記被検眼眼底像をアライメント指標像及びアライメント基準位置マークと共に表示するモニタを含む観察系と、前記被検眼眼底の中央部と前記被検眼眼底の周辺部を撮影するときとで前記固視標の提示位置を変更する固視標位置変更手段と、該固視標位置変更手段に対応して、前記撮影光学系の光軸方向及び撮影光学系の光軸と直交する方向にアライメント指標の提示位置を変更するアライメント指標提示位置変更手段とを備えたことを特徴とする眼底カメラである。
【発明の効果】
【００１０】
本発明に係わる眼底カメラは、上記手段としたので、眼底周辺部を撮影する際に、アライメント調整を容易に行うことができるという効果を奏する。
【発明を実施するための最良の形態】
【００１１】
以下，本発明を実施するための最良の形態を、実施例1及び参考例1,2に基づいて説明する。
【参考例１】
【００１２】
この眼底カメラは、図１に示す照明光学系30と、撮影光学系31と、アライメント指標投影系56と、固視標投影光学系100とを有する。
【００１３】
照明光学系30は、観察光源１、コンデンサレンズ２、ダイクロイックミラー３、リングスリット板４、リレーレンズ５、対物レンズ41、穴空きミラー42とを有する。
【００１４】
観察光源１からの照明光束はコンデンサレンズ２、可視光透過赤外光の反射特性を有するダイクロイックミラー３を経てリングスリット板４のリング状開口部4aに導かれ、このリング状開口部4aを通過した照明光はリレーレンズ５を介して穴空きミラー42の近傍に一旦結像される。
【００１５】
照明光学系30は、ダイクロイックミラー３の背後に、撮影光源19、コンデンサレンズ20を有する。
【００１６】
写真撮影の場合には撮影光源19が発光される。撮影光源19からの撮影光は、コンデンサレンズ20、ダイクロイックミラー３を透過して観察光源１による照明光と同様に穴空きミラー42の近傍に一旦結像される。
【００１７】
撮影光学系31は、対物レンズ41、穴空きミラー42、後述するアライメント光束を反射させるために用いられるハーフミラー43、合焦レンズ44、結像レンズ45、跳ね上げミラー47を有する。観察光学系48は、跳ね上げミラー47、ダイクロイックミラー50、テレビリレーレンズ51を有し、撮像管52、テレビモニター53とともに観察系を構成する。
【００１８】
眼底Efからの反射光は、対物レンズ41に導かれ、この対物レンズ41により眼底Efと共役な眼底共役面Ｒに一旦結像された後、穴空きミラー42の穴部42aを通り、ハーフミラー43を透過して合焦レンズ44、結像レンズ45を介して跳ね上げミラー47に導かれる。そして、この眼底像を形成する反射光束は跳ね上げミラー47によりフィールドレンズ49の配設位置R’に再結像される。そして、この再結像された反射光束は、ダイクロイックミラー50、テレビリレーレンズ51を介して撮像管52に受像され、テレビモニター53の画面に眼底像54が表示される。
【００１９】
撮影光学系31には、跳ね上げミラー47に関してフィールドレンズ49と共役位置にフィルム55が設けられ、撮影時には撮影光源19の発光と同時に跳ね上げミラー47が撮影光学系31の光路から離脱され、眼底像54がフィルム55に結像記録されることとなる。
【００２０】
アライメント指標投影系56は、アライメント光源としてのＬＥＤ57、ライトガイド58、反射鏡60、リレーレンズ61、ハーフミラー43を有する。ＬＥＤ57は中心波長が760nmの近赤外光を出射する特性を有する。ライトガイド58の射出端（アライメント指標）58aはリレーレンズ61の光軸Ｏ（撮影光学系31の光軸Ｏ1）上に位置するように配置されている。リレーレンズ61と反射鏡60との間には２孔絞り59が配設されている。２孔絞り59は図２に示すように一対の孔部59a、59bを有する。この孔部59a、59bは光軸Ｏに関して対称位置に形成され、この２孔絞り59はリレーレンズ61に近接されている。
【００２１】
ライトガイド58の射出端58aから出射されたアライメント光束は反射鏡60により反射されて２孔絞り59の孔部59a，59bに導かれる。この孔部59a，59bを通ったアライメント光束はリレーレンズ61に導かれる。リレーレンズ61を通過したアライメント光束はハーフミラー43により穴空きミラー42に向けて反射される。リレーレンズ61はライトガイド58の射出端58aを穴空きミラー42の穴部42aの中央位置（撮影光学系31の光軸Ｏ1上の位置）Ｘに一旦中間結像する。ハーフミラー43は、図３に示すように波長760nmの光束を約半分透過し、それ以外の波長域の光束をほぼ100％透過させる透過特性Ｔを有する。このため、眼底Efからの反射光束の光量がこのハーフミラー43の存在により低下することが抑止される。
【００２２】
穴空きミラー42の穴部42aの中央位置Ｘに形成されたアライメント指標58aを形成する一対のアライメント光束は対物レンズ41を介して被検眼Ｅの角膜Ｃに導かれる。ここで、被検眼Ｅから装置本体までのワーキングディスタンスＷ及び上下左右方向の位置が適正であるときには射出端58aからの一対のアライメント光束により角膜Ｃの頂点Cfと角膜曲率中心Crとの中間位置Ccにアライメント像が結像投影される。また、被検眼Ｅから装置本体までのワーキングディスタンスＷが適正位置からずれているときには一対のアライメント光束に基づくアライメント像は角膜Ｃの中間位置Ccを境に分離して投影される。
【００２３】
角膜Ｃにより反射されたアライメント反射光束はワーキングディスタンスＷが適正であるときには対物レンズ41により眼底共役面Ｒ上に結像される。この眼底共役面Ｒ上に結像されたアライメント反射光束は、穴部42aを通り、眼底像54を形成する反射光束と同様に撮像管52に受像され、図４（a）に示すように眼底像54と共にアライメント像（出射端58aの像）58’がテレビモニター53の画面に表示される。
【００２４】
また、ワーキングディスタンスＷが適正位置からずれているときには、図４（b）に示すようにアライメント像（出射端58aの像）58’が分離してテレビモニター53上に形成される。検者はこのアライメント光束に基づくアライメント像58’の合致・分離を視認することによりアライメント調整を行うことができる（なお、本件に関連する特許としては、特公昭60−52820号公報、特開平6−277183号、特公昭60−57854号公報、特公昭63−22823号公報、特公昭60−57855号公報、特公平5−54777号公報等がある）。
【００２５】
ダイクロイックミラー50の背後には固視標投影光学系100が設けられている。この固視標投影光学系100は、被検眼Ｅの視線誘導用の固視光源101と、固視標としての絞り102と、固視標投影レンズ103とを有している。固視標は撮影光学系31の各光学系要素を通して被検眼Ｅの眼底Efに投影される。固視光源101は複数個（例えば、５個）設けられ、そのうちの１個が眼底中央部撮影用とされ、残りの４個が眼底周辺部撮影用とされている。図１では、２個の眼底周辺部撮影用の固視光源101が示され、残りの２個の眼底周辺部撮影用の固視光源101は紙面と直交する方向に配置されているので、図示が略されている。眼底中央部を撮影するときには、眼底中央部撮影用の固視光源101が点灯されて被検眼Ｅに固視標が提示される。右、左、上、下等の眼底周辺部を撮影するときには、撮影したい眼底周辺部の撮影に応じてそれに対応する固視光源101が点灯されて被検眼Ｅにその固視標が提示される。
【００２６】
また、テレビモニター53上の画面中央位置には瞳孔の開き具合を判断するためのＩスケールＩが合成表示される（図６（a））。このＩスケールＩは眼底中央部を撮影する場合のアライメント像基準位置マークとしても使用される。
【００２７】
以下、本参考例１に係わる眼底カメラの作用を眼底中央部と眼底周辺部を撮影する場合とに分けて説明する。
【００２８】
［眼底中央部を撮影する場合］
眼底中央部を撮影する場合には、図示しない固視標選択スイッチにより、眼底中央部撮影用の固視光源101を選択し、点灯させる。これにより、被検者の視線方向が撮影光学系31の光軸Ｏ1の方向と一致する。したがって、アライメントが完了した場合は、テレビモニター53に眼底中央部、すなわち、被検眼乳頭が画面中央付近にくるような眼底像54が表示される。
【００２９】
また、テレビモニター53にはアライメント像58’が表示される。アライメントが完了していない状態では、アライメント像58’は、図４（b）に示すように、分離して表示される。検者は、図示しないジョイスティック等により眼底カメラ本体を前後方向に移動操作し、このアライメント像58’が合致する状態（すなわち図４（a）の状態）にする。また、眼底カメラ本体を上下左右方向に移動操作して、テレビモニター53に表示されたＩスケールＩとアライメント像58’とが合致するようにする。
【００３０】
その後、検者は図示しない撮影スイッチを押して、この眼底像54を撮影する。
【００３１】
［眼底の周辺部を撮影する場合］
まず、被検眼Ｅの眼底Efの上側、すなわち被検眼乳頭が画面の下半分の位置にあるような眼底像54を撮影する場合を例にとって説明する。この場合には、固視標選択スイッチ（図示せず）により、被検者の視線を上方向に向けさせるような固視光源101を選択、点灯させる。これにより、被検者の視線が上方向に向くので、アライメントが完了した状態では、テレビモニター53に被検眼乳頭が画面下半分の位置にあるような眼底像54が表示される。
【００３２】
この視線を上に向けさせるための固視光源101が点灯されると、これに連動して、テレビモニター53の画面の下方向にアライメント基準位置マーク104aが表示される。このアライメント基準位置マーク104aは、眼底Efの上側を撮影する場合のアライメント基準位置を示すものである。すなわち、既に図５で説明したように、眼底Efの上側の撮影のための被検眼Ｅの視線を上方向に向ける場合には、アライメントが完了した状態において、アライメント像58’は撮影光学系31の光軸Ｏ1からずれた位置に結像され、テレビモニター53の画面上ではアライメント基準位置マーク104aの位置に結像されることになる。したがって、検者は、このアライメント基準位置マーク104aとアライメント像58’が合致するように眼底カメラ本体の位置を調整することにより、アライメントを完了させることができる。
【００３３】
同様に、眼底Efの下側を撮影する場合にはアライメント基準位置マーク104bが、眼底Efの右側を撮影する場合にはアライメント基準位置マーク104cが、眼底Efの左側を撮影する場合にはアライメント基準位置マーク104dがそれぞれ表示される。検者は、これらのアライメント基準位置マーク104a，104b，104c，104dとアライメント像58’とを合致させることにより、アライメントを完了させることができる。
【００３４】
このように、本参考例１においては、眼底Efのどの部分を撮影するかによって変化するアライメント像58’の位置に応じて各アライメント基準位置マーク104a，104b，104c，104dの表示を変化させているので、撮影光学系31の光軸Ｏ1と瞳孔中心とのアライメント調整が容易になるという利点がある。
【００３５】
なお、上記参考例１においては、固視標の選択スイッチの操作に連動して各アライメント基準位置マーク104a，104b，104c，104dの表示位置が変化するように構成したが、これに限らず、眼底Efのどの部分（中央、上側、下側、右側、左側）を撮影するかを選択する選択スイッチを用意し、この選択スイッチの操作に応じて各アライメント基準位置マーク104a，104b，104c，104dの表示位置を変更するように構成してもよい。また、連動させず、各アライメント基準位置マーク104a，104b，104c，104dの点灯位置を検者が選択スイッチにより選択するようにしてもよい。
【変形例】
【００３６】
アライメント基準位置をテレビモニター53上に表示する代わりに、固視標を各アライメント基準位置マーク104a，104b，104c，104dとして用いてもよい。この場合には、フィールドレンズ49の平面部49aをハーフミラーとし、固視標の一部を反射させて、撮像管52に受光させる。図５（b）に示すように、被検眼Ｅの視線方向とアライメント光束の反射方向（光軸Ｏ2の方向）とはどちらも撮影光学系31の光軸Ｏ1に対してほぼ同じ角度θであり、テレビモニター53上でのアライメント像58’の形成箇所がテレビモニター53上での固視標の形成箇所と略同一となるので、固視標を各アライメント基準位置マーク104a，104b，104c，104dとして用いることができる。なお、フィールドレンズ49の平面部49aを、凹面形状を有するハーフミラーとしてもよい。
【実施例１】
【００３７】
図８は本発明の実施例１を示すものである。なお、この実施例１にて説明しない構成や作用については、参考例１の構成や作用と同様であるので、説明を省略する。
【００３８】
この実施例１では、固視標の投影位置の変化に応じて各アライメント基準位置マーク104a，104b，104c，104dの点灯位置を変更する代わりに、固視標の投影位置の変化に応じてアライメント指標の形成位置を変更し、これにより、固視標の投影位置にかかわらずテレビモニター53上におけるアライメント指標の形成位置が不変となるようにしたものである。
【００３９】
具体的には、眼底中央部撮影用の固視標を投影するときには、図５（a）に示すように、ライトガイド58の射出端58aを撮影光学系31の光軸Ｏ1上に配置する一方、眼底周辺部撮影用の固視標を投影するときには、図８に示すように、ライトガイド58の射出端58aを撮影光学系31の光軸Ｏ1と直交する方向（図８に示す矢印Ｓ方向、図７に示す矢印δ1方向）に移動させ、射出端58aを光軸Ｏ1からずらした位置に配置する。これにより、アライメント完了した場合におけるアライメント像58’のテレビモニター53上の位置が、眼底中央部を撮影する場合と眼底周辺部を撮影する場合とで同一となるようにする。
【００４０】
また、射出端58aを撮影光学系31の光軸Ｏ1と直交する方向に移動するだけでなく、光軸Ｏ1方向にも距離δ2だけ移動するのが好ましい（図７参照）。これにより、アライメント指標の虚像が眼底中心部を撮影する場合と同様に角膜面と焦点面Fcの位置に形成されるので、ピントの合ったアライメント像58aが観察可能となるからである。逆にいえば、撮影光学系31の光軸Ｏ1方向へのライトガイド58の移動をしない場合には、アライメント像58aが多少ボケて結像されることになる。但し、固視標の投影角度が小さい場合は、このボケは、アライメント調整を阻害しない程度のものであるので、光軸Ｏ1方向への射出端58aの移動は省略してもよい。なお、ライトガイド58の移動距離δ1，δ2は固視標光束の投影角度、被検眼角膜Ｃの曲率および作動距離を考慮して決定される。
【変形例１】
【００４１】
図８では、眼底周辺部を撮影するときに、矢印Ｚ1で示すように、射出端58aを撮影光学系31の光軸Ｏ1の方向に移動させる構成としたが、図９に示すように、眼底中央部を撮影するときには光路長補正用の光学部材としての平行平面板80をアライメント指標投影系56の光路から挿入させ、眼底周辺部を撮影するときには平行平面板80をアライメント指標投影系56の光路に離脱する構成としてもよい。
【００４２】
このように構成すると、ライトガイド58を光軸Ｏ1の方向に可動させる構成としなくともアライメント指標58aの光軸方向の提示位置を、眼底中央部を撮影するときと眼底周辺部を撮影するときとで変更できる。
【変形例２】
【００４３】
図10〜図14は実施例１の変形例２を示すもので、眼底中央部を撮影するときには、図12（a）、図12（b）に示す平行平面板80をアライメント指標投影系56の光路に挿入し、眼底周辺部の撮影を行うときには、固視標の提示位置に対応してアライメント指標58aの提示位置を変更すると共に光路長を補正するためのプリズム81（図11（a）、図11（b）参照）をアライメント指標投影系56の光路に挿入する構成としたものである。図10は眼底周辺部を撮影するときのアライメント指標投影系56が示されており、プリズム81が光路に挿入され、平行平面板80が光路から離脱されている。平行平面板80には図12に示すように２孔絞り82が印刷等の手段により一体に形成され、２孔絞り82の一対の孔部82a，82aは光軸Ｏを境に点対称位置に形成されている。すなわち、一対の孔部82a，82aの中心を結ぶ直線Ｌ1は光軸Ｏと交差している。図11に示すように、プリズム81にも同様に２孔絞り83が一体に形成されている。この２孔絞り83の一対の孔部83a，83aの中心を結ぶ直線Ｌ2は光軸Ｏに対して離間されている。プリズム81は、固視標の提示位置の変更に対応して光軸Ｏを中心に回転可能とされ、プリズム81の偏角作用によりアライメント指標の提示位置が変更される。また、眼底中心部を撮影するときと眼底周辺部を撮影するときとでアライメント指標58aを光軸方向の提示位置を変更させるために、プリズム81の光路長と平行平面板80の光路長とが異ならされている。眼底中央部を撮影するときと眼底周辺部を撮影するときとで、２孔絞り82，83の孔部82a，83aの形成位置を変更した理由は穴あきミラー42の穴部42aにより、光束がケラレることを防止するためである。
【変形例３】
【００４４】
この変形例では、図15に示すように、ライトガイド58の射出端58aを移動させる代わりに、穴空きミラー42の穴部42aの周辺に眼底周辺部撮影用のアライメント指標投影系105を複数個（４個）設ける構成とした。この周辺部撮影用のアライメント指標投影系105はＬＥＤ106と光ファイバ107とから構成されている。そして、眼底中央部撮影時にはＬＥＤ57を点灯させる一方、周辺部撮影時にはＬＥＤ106を点灯する。このように構成すると、光ファイバ107の出射端107aからのアライメント指標58aの投影光束が穴空きミラー42でケラレるのを防止できるので、眼底中央部からより遠い眼底周辺部を撮影することができる。
【変形例４】
【００４５】
図15に示す構成では、眼底中央部からより遠い眼底周辺部を撮影するために、固視標の提示位置を破線で示す位置に変更すると、固視標が視野絞り49’でケラレることがある。この変形例では、図16に示すように、この固視標の視野絞り49’によるケラレを防止するため、結像レンズ45とクイックリターンミラー47との間にハーフミラー108を設け、固視光学系100をハーフミラー108の反射光軸上に設ける構成とした。
【変形例５】
【００４６】
この変形例では、図17（a）に示すように、穴空きミラー42の周辺部に４個の眼底周辺部撮影用のアライメント指標投影系105を設けると共に、図17（b）に示すように眼底中央部撮影用の一対のアライメント指標投影系109を設ける構成としたものである。この一対のアライメント指標投影系109はアライメント指標投影系105と同様にＬＥＤ110と光ファイバ111とから構成され、図17（b）には、眼底周辺部撮影用のアライメント指標投影系105を構成する光ファイバ107の射出端107aと共に、眼底中央部撮影用の一対のアライメント指標投影系109を構成する光ファイバの射出端111aが示されている。
【００４７】
この変形例によれば、眼底中央部を撮影するときには、図18（a）に示すように、一対のアライメント像111’が画面周辺部に離間して形成される。眼底周辺部を撮影するときには、固視標を切り換えて、視線の方向を誘導する。また、これに対応するＬＥＤ110を点灯させる。図７に示すと同様に、アライメント指標58aが撮影光学系31の光軸Ｏ1からずれている場合、角膜Ｃで反射された反射光束は光軸Ｏ1と平行に戻り、光軸Ｏ1上に結像するので、図18（b）に示すように、アライメント像107’の形成箇所を画面中央位置に位置するようにする。このようにすれば、アライメント基準位置マーク104を用いなくとも、眼底周辺部の照明光束がケラレることなく撮影できる。なお、中央撮影用の一対のアライメント投影系109を設ける代わりに、周辺部撮影用のアライメント投影系105を一対にして投影してもよい。
【参考例２】
【００４８】
この参考例２では、図19に示すように、対物レンズ41と穴空きミラー42との間に視線方向検出手段112を設ける構成としたものである。視線方向検出手段112は、対物レンズ41の周りに赤外光を発光するＬＥＤ113〜ＬＥＤ116を配置し、このＬＥＤ113〜ＬＥＤ116から角膜Ｃに向けて照射し、虚像（図示せず）を形成させる。そして、図20に示すように、虚像である角膜反射像を撮像素子117上に得るとともに、前眼部像Ｅ’を撮像素子117上に結像させて視線方向を検出するものである。撮像素子117と前眼部とは共役関係にある。
【００４９】
そして、視線が撮影光学系31の光軸Ｏ1方向に向いているとき、角膜反射像の中心位置に瞳孔像Ｑ’の中心Ｑoが位置するように設定されている。固視標の変更により、視線方向が変わると図21に示すように角膜反射像の中心位置Ｏoから瞳孔像Ｑ’の中心位置Ｑoがずれる。したがって、中心位置Ｏoと瞳孔像Ｑ’の中心位置Ｑoとを求めることにより視線方向を検出することができる。
【００５０】
瞳孔像Ｑ’の中心位置Ｑoは、撮像素子117から出力される画像信号の瞳孔像Ｑ’部分の輝度レベルが他の部分より低いので、この低レベル部分から演算により求めればよい。また、角膜反射像の位置は、撮像素子117から出力される画像信号の角膜反射像の部分の輝度レベルは他の部分よりも高いので、この高レベルの部分から検出できる。なお、118は視線方向検出手段112を構成するハーフミラー、119はリレーレンズ、120は反射ミラー、121はテレビレンズである。
【００５１】
この参考例２では、図１に示す撮影光学系31に視線方向検出手段112を設ける構成としたが、図８、図９に示す撮影光学系31に視線方向検出手段112を設ける構成とすることもできる。このものでは、検出した視線方向に対応してアライメント指標を移動して切り替える。
【００５２】
以上の実施例１及び参考例１，２では、複数個の固視標を用いて、点灯状態を切り換えることにより、固視標の提示位置を変更する構成としたが、１個の固視標を用い固視標を移動させることにより、固視標の提示位置を変更する構成としてもよい。
【図面の簡単な説明】
【００５３】
【図１】眼底カメラの参考例１を示す光学図である。
【図２】図１に示す２孔絞りの平面図である。
【図３】図１に示すハーフミラーの透過特性を示す図である。
【図４】眼底カメラを用いて観察された眼底像を示す図であって、（ａ）は被検眼から装置本体までの作動距離が適正である場合を示し、（ｂ）は被検眼から装置本体までの作動距離が適正でない場合を示す。
【図５】アライメント指標の投影原理の説明図であって、（ａ）は被検眼の光軸と撮影光学系の光軸とが一致している場合に、アライメント像が撮影光学系の光軸上で眼底共役面上に形成された状態を示し、（ｂ）は被検眼の光軸に対して撮影光学系の光軸が所定角度傾いている場合に、アライメント像が撮影光学系の光軸上からずれて眼底共役面上に形成された状態を示している。
【図６】図１に示す眼底カメラを用いて眼底像をテレビモニター上で観察した状態を示し、（ａ）はテレビモニター上に表示された眼底中央部像とアライメント像との説明図、（ｂ）はテレビモニター上に表示された眼底周辺部像とアライメント像との説明図である。
【図７】眼底周辺部を撮影するときのアライメント指標の像と眼底中央部を撮影するときのアライメント指標像の光軸方向の位置ずれを説明するための説明図である。
【図８】本発明に係わる眼底カメラの実施例１を示す光学図で、ライトガイドを撮影光学系の光軸方向に移動させる場合を示している。
【図９】実施例１の変形例１を示す光学図であって、アライメント指標投影系の光路に平行平面板を挿脱自在に設ける構成を示している。
【図１０】実施例１の変形例２のアライメント指標投影系の要部構成を示す光学図である。
【図１１】図10に示すプリズムの拡大図であって、（a）は平面図、（b）は側面図である。
【図１２】図10に示す平行平面板の拡大図であって、（a）は平面図、（b）は側面図である。
【図１３】眼底中央部を撮影するときのアライメント指標光束の光線経路を示す模式図である。
【図１４】眼底周辺部を撮影するときのアライメント指標光束の光線経路を示す模式図である。
【図１５】実施例１の変形例３を示す光学図である。
【図１６】実施例１の変形例４を示す光学図である。
【図１７】実施例１の変形例５を示し、（a）は光学図、（b）は（a）に示す光学図の穴開きミラー近傍の拡大図である。
【図１８】（a）はテレビモニター上に表示された眼底中央部像とアライメント像との説明図、（b）はテレビモニター上に表示された眼底周辺部像とアライメント像との説明図である。
【図１９】眼底カメラの参考例２を示す光学図である。
【図２０】瞳孔像と角膜反射像との位置関係を示す説明図である。
【図２１】視線方向が変化したときの瞳孔像と角膜反射像との位置関係を示す説明図である。
【符号の説明】
【００５４】
30…照明光学系（照明系）
31…撮影光学系（撮影系）
53…テレビモニター（モニタ）
54…眼底像
58a…ライトガイドの射出端（アライメント指標）
58’…アライメント像（アライメント指標像）
Ｉ…Ｉスケール（基準位置マーク）
Ｅ…被検眼
Ef…眼底
100…固視標投影光学系（固視標投影系）
104a，104b，104c，104d…アライメント基準位置マーク
【図１】
0004430056.tif 000002
【図２】
0004430056.tif 000003
【図３】
0004430056.tif 000004
【図４】
0004430056.tif 000005
【図５】
0004430056.tif 000006
【図６】
0004430056.tif 000007
【図７】
0004430056.tif 000008
【図８】
0004430056.tif 000009
【図９】
0004430056.tif 000010
【図１０】
0004430056.tif 000011
【図１１】
0004430056.tif 000012
【図１２】
0004430056.tif 000013
【図１３】
0004430056.tif 000014
【図１４】
0004430056.tif 000015
【図１５】
0004430056.tif 000016
【図１６】
0004430056.tif 000017
【図１７】
0004430056.tif 000018
【図１８】
0004430056.tif 000019
【図１９】
0004430056.tif 000020
【図２０】
0004430056.tif 000021
【図２１】
0004430056.tif 000022